【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有し、
広角端状態から望遠端状態への変倍は、前記第２レンズ群及び前記第４レンズ群を光軸方向へ移動させることによって行い、
前記第１レンズ群は、光軸に沿って物体側から順に、負の屈折力を有する前側レンズ群と、光路を折り曲げるための光路折り曲げ素子と、正の屈折力を有する後側レンズ群とを有し、
前記第３レンズ群は複数のレンズを有し、
以下の条件式を満足することを特徴とするズームレンズ。
０．３＜ｆ１／ｆｔ＜０．６
０．７５＜（ｆｗ・ｆｔ）１／２／（−ｆｎ１）＜０．９５
但し、
ｆ１  ：前記第１レンズ群の焦点距離
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【請求項２】
広角端状態から望遠端状態への変倍に際し、前記第１レンズ群及び前記第３レンズ群は像面に対して固定されていることを特徴とする請求項１に記載のズームレンズ。
【請求項３】
無限遠物体から有限距離物体への合焦は、前記第４レンズ群を光軸方向へ移動させることによって行うことを特徴とする請求項１又は請求項２に記載のズームレンズ。
【請求項４】
以下の条件式を満足することを特徴とする請求項１から請求項３のいずれか１項に記載のズームレンズ。
１．０＜βＴ５＜１．５
但し、
βＴ５：望遠端状態における無限遠物体合焦時の前記第５レンズ群の結像倍率
【請求項５】
前記第５レンズ群は、１つの接合レンズで構成されていることを特徴とする請求項１から請求項４のいずれか１項に記載のズームレンズ。
【請求項６】
前記第３レンズ群を光軸に対して略垂直な方向へ移動させることで、ぶれによる結像位置の変位を補正することを特徴とする請求項１から請求項５のいずれか１項に記載のズームレンズ。
【請求項７】
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有し、
広角端状態から望遠端状態への変倍は、前記第２レンズ群及び前記第４レンズ群を光軸方向へ移動させることによって行い、
前記第１レンズ群は、光路を折り曲げるための光路折り曲げ素子を有し、
前記第３レンズ群は複数のレンズを有し、
前記第３レンズ群を光軸に対して略垂直な方向へ移動させることで、ぶれによる結像位置の変位を補正することを特徴とするズームレンズ。
【請求項８】
以下の条件式を満足することを特徴とする請求項７に記載のズームレンズ。
１．０＜（１−β３Ｔ）・βｒＴ＜１．８
但し、
β３Ｔ：望遠端状態における無限遠物体合焦時の前記第３レンズ群の結像倍率
βｒＴ：前記第３レンズ群よりも像側に位置する前記各レンズ群の合成結像倍率
【請求項９】
以下の条件式を満足することを特徴とする請求項８に記載のズームレンズ。
−０．２＜１／β３Ｔ＜０．２
但し、
β３Ｔ：望遠端状態における無限遠物体合焦時の前記第３レンズ群の結像倍率
【請求項１０】
前記第１レンズ群は、光軸に沿って物体側から順に、負の屈折力を有する前側レンズ群と、前記光路折り曲げ素子と、正の屈折力を有する後側レンズ群とを有し、
以下の条件式を満足することを特徴とする請求項７から請求項９のいずれか１項に記載のズームレンズ。
０．３＜ｆ１／ｆｔ＜０．６
０．７５＜（ｆｗ・ｆｔ）１／２／（−ｆｎ１）＜０．９５
但し、
ｆ１  ：前記第１レンズ群の焦点距離
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【請求項１１】
広角端状態から望遠端状態への変倍に際し、前記第１レンズ群及び前記第３レンズ群は像面に対して固定されていることを特徴とする請求項７から請求項１０のいずれか１項に記載のズームレンズ。
【請求項１２】
無限遠物体から有限距離物体への合焦は、前記第４レンズ群を光軸方向へ移動させることによって行うことを特徴とする請求項７から請求項１１のいずれか１項に記載のズームレンズ。
【請求項１３】
以下の条件式を満足することを特徴とする請求項７から請求項１２のいずれか１項に記載のズームレンズ。
１．０＜βＴ５＜１．５
但し、
βＴ５：望遠端状態における無限遠物体合焦時の前記第５レンズ群の結像倍率
【請求項１４】
前記第５レンズ群は、１つの接合レンズで構成されていることを特徴とする請求項７から請求項１３のいずれか１項に記載のズームレンズ。
【請求項１５】
前記第３レンズ群は、正の屈折力を有する１つの単レンズと、１つの接合レンズとを有することを特徴とする請求項１から請求項１４のいずれか１項に記載のズームレンズ。
【請求項１６】
広角端状態から望遠端状態への変倍に際し、前記第５レンズ群は像面に対して固定されていることを特徴とする請求項１から請求項１５のいずれか１項に記載のズームレンズ。
【請求項１７】
以下の条件式を満足することを特徴とする請求項１から請求項１６のいずれか１項に記載のズームレンズ。
０．３＜ｆ１／ｆｔ≦０．４８
但し、
ｆ１：前記第１レンズ群の焦点距離
ｆｔ：望遠端状態における前記ズームレンズの焦点距離
【請求項１８】
前記第１レンズ群は、光軸に沿って物体側から順に、負の屈折力を有する前側レンズ群と、光路を折り曲げるための光路折り曲げ素子と、正の屈折力を有する後側レンズ群とを有し、
以下の条件式を満足することを特徴とする請求項１から請求項１７のいずれか１項に記載のズームレンズ。
０．８５≦（ｆｗ・ｆｔ）１／２／（−ｆｎ１）＜０．９５
但し、
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【請求項１９】
請求項１から請求項１８のいずれか１項に記載のズームレンズを備えていることを特徴とする撮像装置。
【請求項２０】
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有するズームレンズの変倍方法であって、
広角端状態から望遠端状態への変倍は、前記第２レンズ群及び前記第４レンズ群を光軸方向へ移動させることによって行い、
前記第１レンズ群は、光軸に沿って物体側から順に、負の屈折力を有する前側レンズ群と、光路を折り曲げるための光路折り曲げ素子と、正の屈折力を有する後側レンズ群とを有し、
前記第３レンズ群は複数のレンズを有し、
以下の条件式を満足することを特徴とするズームレンズの変倍方法。
０．３＜ｆ１／ｆｔ＜０．６
０．７５＜（ｆｗ・ｆｔ）１／２／（−ｆｎ１）＜０．９５
但し、
ｆ１  ：前記第１レンズ群の焦点距離
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【請求項２１】
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有するズームレンズの防振方法であって、
広角端状態から望遠端状態への変倍は、前記第２レンズ群及び前記第４レンズ群を光軸方向へ移動させることによって行い、
前記第１レンズ群は、光路を折り曲げるための光路折り曲げ素子を有し、
前記第３レンズ群は複数のレンズを有し、
前記第３レンズ群を光軸に対して略垂直な方向へ移動させることで、ぶれによる結像位置の変位を補正することを特徴とするズームレンズの防振方法。
【手続補正２】
【補正対象書類名】明細書
【補正対象項目名】０００９
【補正方法】変更
【補正の内容】
【０００９】
上記課題を解決するために本発明は、
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有し、
広角端状態から望遠端状態への変倍は、前記第２レンズ群及び前記第４レンズ群を光軸方向へ移動させることによって行い、
前記第１レンズ群は、光軸に沿って物体側から順に、負の屈折力を有する前側レンズ群と、光路を折り曲げるための光路折り曲げ素子と、正の屈折力を有する後側レンズ群とを有し、
前記第３レンズ群は複数のレンズを有し、
以下の条件式（１）,（２）を満足することを特徴とするズームレンズを提供する。
（１）  ０．３＜ｆ１／ｆｔ＜０．６
（２）  ０．７５＜（ｆｗ・ｆｔ）１／２／（−ｆｎ１）＜０．９５
但し、
ｆ１  ：前記第１レンズ群の焦点距離
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【手続補正３】
【補正対象書類名】明細書
【補正対象項目名】００１０
【補正方法】変更
【補正の内容】
【００１０】
また本発明は、
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有し、
広角端状態から望遠端状態への変倍は、前記第２レンズ群及び前記第４レンズ群を光軸方向へ移動させることによって行い、
前記第１レンズ群は、光路を折り曲げるための光路折り曲げ素子を有し、
前記第３レンズ群は複数のレンズを有し、
前記第３レンズ群を光軸に対して略垂直な方向へ移動させることで、ぶれによる結像位置の変位を補正することを特徴とするズームレンズを提供する。
【手続補正４】
【補正対象書類名】明細書
【補正対象項目名】００１２
【補正方法】変更
【補正の内容】
【００１２】
また本発明は、
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有するズームレンズの変倍方法であって、
広角端状態から望遠端状態への変倍は、前記第２レンズ群及び前記第４レンズ群を光軸方向へ移動させることによって行い、
前記第１レンズ群は、光軸に沿って物体側から順に、負の屈折力を有する前側レンズ群と、光路を折り曲げるための光路折り曲げ素子と、正の屈折力を有する後側レンズ群とを有し、
前記第３レンズ群は複数のレンズを有し、
以下の条件式（１）,（２）を満足することを特徴とするズームレンズの変倍方法を提供する。
（１）  ０．３＜ｆ１／ｆｔ＜０．６
（２）  ０．７５＜（ｆｗ・ｆｔ）１／２／（−ｆｎ１）＜０．９５
但し、
ｆ１  ：前記第１レンズ群の焦点距離
ｆｗ  ：広角端状態における前記ズームレンズの焦点距離
ｆｔ  ：望遠端状態における前記ズームレンズの焦点距離
ｆｎ１：前記第１レンズ群における前記前側レンズ群の焦点距離
【手続補正５】
【補正対象書類名】明細書
【補正対象項目名】００１３
【補正方法】変更
【補正の内容】
【００１３】
また本発明は、
光軸に沿って物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを有するズームレンズの防振方法であって、
広角端状態から望遠端状態への変倍は、前記第２レンズ群及び前記第４レンズ群を光軸方向へ移動させることによって行い、
前記第１レンズ群は、光路を折り曲げるための光路折り曲げ素子を有し、
前記第３レンズ群は複数のレンズを有し、
前記第３レンズ群を光軸に対して略垂直な方向へ移動させることで、ぶれによる結像位置の変位を補正することを特徴とするズームレンズの防振方法を提供する。